(57)【要約】  【課題】  携帯に便利な携帯用燃焼器具用の脚構造であって、燃料ボンベを収納することができる脚構造を提供すること。  【解決手段】  基台１０１と、基台１０１から下方に延びる脚部１０２と、脚部間に架け渡された支持部１０３と、からなり、  脚部１０２の間に燃料ボンベを横置きにした状態で挿入し、基台１０１と支持部１０３とにより燃料ボンベを挟み込むことで、この燃料ボンベを支持することができるようにしたことを特徴とする脚構造１００を提供する。  【選択図】図１
2005037032.tif 000002
【特許請求の範囲】
【請求項１】
燃料ボンベから供給される燃料ガスを燃焼させる携帯用燃焼器具本体を支持する脚構造であって、
前記携帯用燃焼器具本体の底部に取り付けられる基台と、
前記基台の下方において前記基台に取り付けられた脚部と、
からなり、
前記脚部は、前記燃料ボンベを横置きにした状態で支持し得る空間を形成しており、かつ、横置きにされた前記燃料ボンベを前記基台との間で挟み込むように構成されていることを特徴とする脚構造。
【請求項２】
前記脚部は、地面に接地する少なくとも４個の接地部と、前記燃料ボンベを横置きにした状態で支持する支持部と、を備えており、
前記支持部は前記接地部の間に形成されていることを特徴とする請求項１に記載の脚構造。
【請求項３】
前記支持部は、その底部において地面に接地していることを特徴とする請求項２に記載の脚構造。
【請求項４】
前記支持部は、その底部が地面から上方に離間していることを特徴とする請求項２に記載の脚構造。
【請求項５】
前記脚部は、一本のワイヤ部材を加工して作られたものであることを特徴とする請求項２、３又は４に記載の脚構造。
【請求項６】
前記脚部は、一方の側において、前記基台の一端に対して回動自在に取り付けられており、他方の側において、前記基台の他端に対して着脱自在に固定し得るように構成されていることを特徴とする請求項１乃至５の何れか一項に記載の脚構造。
【請求項７】
前記脚部は、前記他方の側において、フック部材を介して、前記基台の他端に対して取り付けられていることを特徴とする請求項６に記載の脚構造。
【請求項８】
前記脚部は、前記携帯用燃焼器具本体に向かって回動したときに、前記携帯用燃焼器具本体を内部に収納するような空間を形成していることを特徴とする請求項６又は７に記載の脚構造。
【請求項９】
前記脚部は、前記基台に対して着脱自在に取り付けられていることを特徴とする請求項１乃至８の何れか一項に記載の脚構造。
【請求項１０】
前記基台は、前記携帯用燃焼器具本体に対して着脱自在に取り付けられていることを特徴とする請求項１乃至９の何れか一項に記載の脚構造。
【発明の詳細な説明】
【技術分野】
【０００１】
本発明は、携帯用燃焼器具に使用される脚構造に関し、特に、燃料ボンベから供給される燃料ガスを燃焼させる携帯用燃焼器具本体を支持する脚構造に関する。
【背景技術】
【０００２】
従来の携帯用燃焼器具に使用される脚構造、特に、燃料ボンベから供給される燃料ガスを燃焼させる携帯用燃焼器具本体を支持する脚構造としては、特開平１１−２５７６７１号公報に記載されたものがあった。
【０００３】
特開平１１−２５７６７１号公報に記載された燃焼器具用支持脚３００は、図８に表されているように、主脚３０１及び二つの開脚３０２Ａ、３０２Ｂにより構成されており、この二つの開脚３０２Ａ、３０２Ｂを主脚３０１の方に畳むことで、コンパクトにすることができるようにされており、このような構造の主脚３０１と開脚３０２Ａ、３０２Ｂとの結合部３０３に、バーナー３０４又はランタン３０５を取り付け、燃料ボンベ３０６からホース３０７を介して燃料をバーナー３０４又はランタン３０５に送るようにされていた。
【特許文献１】特開平１１−２５７６７１号公報
【発明の開示】
【発明が解決しようとする課題】
【０００４】
しかしながら、このような燃焼器具用支持脚３００では、持ち運びに便利ではあるが、使用時に燃料ボンベを置く場所を確保する必要があり、不便であった。
【０００５】
そこで、本発明は、携帯に便利な携帯用燃焼器具用の脚構造であって、燃料ボンベを収納することができる脚構造を提供することを目的とする。
【課題を解決するための手段】
【０００６】
以上の課題を解決するため、本発明は、燃料ボンベから供給される燃料ガスを燃焼させる携帯用燃焼器具本体を支持する脚構造であって、前記携帯用燃焼器具本体の底部に取り付けられる基台と、前記基台の下方において前記基台に取り付けられた脚部と、からなり、前記脚部は、前記燃料ボンベを横置きにした状態で支持し得る空間を形成しており、かつ、横置きにされた前記燃料ボンベを前記基台との間で挟み込むように構成されていることを特徴とする脚構造。
【０００７】
このように、携帯用燃焼器具本体を支持する脚構造を構成する基台と脚部において、燃料ボンベを横置きにした状態で支持することができるようにすることで、この燃料ボンベの設置場所を確保することができる。
【０００８】
具体的には、脚部に、地面に接地する少なくとも４個の接地部と、燃料ボンベを横置きにした状態で支持する支持部と、を備えておき、この支持部を接地部の間に形成しておくことで、接地部と支持部との間に燃料ボンベを横置きにした状態で支持することができる空間を形成することができる。
【０００９】
なお、この支持部については、その底部において地面に接地していてもよく、また、その底部が地面から上方に離間していてもよい。
【００１０】
また、脚部は、どのような材料で製造しても良いが、例えば、一本のワイヤ部材を加工して製造することにより、容易かつ低コストとなり好適である。
【００１１】
また、脚部を、一方の側において、基台の一端に対して回動自在に取り付け、他方の側において、基台の他端に対して着脱自在に固定し得るように構成することで、基台を脚部の上方の位置から移動させ、この脚部の上方から燃料ボンベをこの燃料ボンベを支持する空間に挿入することができるようになる。
【００１２】
なお、基台の他端と脚部とは、フック部材を介して取り付けることにより、脚部を基台の他端に対して着脱自在に固定することができるようになる。
【００１３】
また、脚部を、基台に対して着脱自在に取り付けることができるようにすることで、基台を脚部から外して、燃料ボンベを脚部の上方からこの燃料ボンベを収納する空間に挿入することができるようになる。
【００１４】
なお、基台を、携帯用燃焼器具本体に対して着脱自在にしておくことで、収納等の際に便利である。
【発明の効果】
【００１５】
以上のように、本発明によれば、携帯に便利な携帯用燃焼器具用の脚構造であって、燃料ボンベを収納することができる脚構造を提供することができる。
【発明を実施するための最良の形態】
【００１６】
図１は、本発明の第一の実施形態に係る脚構造１００の分解斜視図である。
【００１７】
脚構造１００は、基台１０１と、四つの脚部１０２Ａ、１０２Ｂ、１０２Ｃ、１０２Ｄと、二つの支持部１０３Ａ、１０３Ｂと、により構成されている。
【００１８】
基台１０１は、上面１０１ａにバーナーやランタン等の携帯用燃焼器具本体を載せることができるように板状に形成されている。
【００１９】
そして、基台１０１の一端１０１ｂ側には、後述するようにステンレスのワイヤで形成された脚部１０２Ａ、１０２Ｂ、１０２Ｃ、１０２Ｄの一端に設けられている第一の取付部１０４Ａ及び他端に設けられている第二の取付部１０４Ｂを挿入することができる脚部取付用穴１０５が側面１０１ｃに設けられている（図１では、脚部取付用穴１０５は一つしか表されていないが、基台１０１の裏側の側面１０１ｃにも同様の位置に脚部取付用穴１０５が設けられている。）。
【００２０】
また、基台１０１の他端１０１ｄ側には、後述するフック１１２が取り付けられているレバー１１３を取り付けることができるように、フック取付用穴１０６を有する凸部１０７が設けられている。
【００２１】
なお、基台１０１ｄの下面１０１ｅについては、後述する燃料ボトル１１５を挟み込む関係上、燃料ボトル１１５の側面１１５ａの円形に密着するように円弧状に形成されている。
【００２２】
脚部１０２Ａ、１０２Ｂ、１０２Ｃ、１０２Ｄ及び支持部１０３Ａ、１０３Ｂは、ステンレスよりなる一本のワイヤからなり、このワイヤの一端を基台１０１の側面１０１ｃに設けられている脚部取付用穴１０５に挿入することができるように、横方向に延びる第一の取付部１０４Ａとし、この第一の取付部１０４Ａから下方にワイヤを折曲げることにより第一の脚部１０２Ａを形成している。
【００２３】
そして、第一の脚部１０２Ａとして所定の長さを確保した後、このワイヤを横方向に折曲げることで第一の支持部１０３Ａを形成している。
【００２４】
ここで、第一の支持部１０３Ａについては、後述する燃料ボトル１１５を挟み込む関係上、燃料ボトル１１５の側面１１５ａの円形に密着するような円弧状に形成された押え部１０８Ａを設けているため、ワイヤを第一の脚部１０２Ａから斜め上方に折り返した後、円弧状の押え部１０８Ａを形成し、再び斜め下方に折曲げてから、上方に折曲げて、第二の脚部１０２Ｂを形成している。
【００２５】
第二の脚部１０３Ｂとして、所定の長さを確保した後、ワイヤを横方向に折曲げ、第一の取付部１０４Ａと対向し、かつ、第一の取付部１０４Ａと平行となるように固定部１０９を形成している。
【００２６】
固定部１０９として所定の長さを確保した後、再び下方に折曲げ第三の脚部１０２Ｃを形成している。
【００２７】
第三の脚部１０２Ｃとして所定の長さを確保した後、第二の支持部１０３Ｂを形成するため、横方向であって、第一の支持部１０３Ａと対向して平行となるようにワイヤを折曲げる。
【００２８】
なお、第二の支持部１０３Ｂにおいても、第一の支持部１０３Ａ同様の押え部１０８Ｂを形成しているため、第一の支持部１０３Ａと同様の形状に形成されている。
【００２９】
第二の支持部１０３Ｂとして、第一の支持部１０３Ａと同じ長さを確保した後、ワイヤを上方に折曲げることで、第四の脚部１０２Ｄを形成している。
【００３０】
そして、第四の脚部１０２Ｄとして、所定の長さを確保した後、このワイヤを横方向であって、第一の取付部１０４Ａの方向に折曲げることで、この折曲げられた部分からワイヤの他端までの部分で、第二の取付部１０４Ｂを形成している。
【００３１】
ここで、第一の脚部１０２Ａと第四の脚部１０２Ｄとは同じ長さとなるように形成されており、また、第二の脚部１０２Ｂと第三の脚部１０２Ｃとは同じ長さとなるように形成されている。
【００３２】
その一方で、基台１０１の他端１０１ｄ側は、固定部１０９に後述するフック１１２を引っ掛けて固定する関係上、第二の脚部１０２Ｂ及び第三の脚部１０２Ｃの長さは、第一の脚部１０２Ａ及び第四の脚部１０２Ｄの長さに比べて、このフック１１２の長さの分だけ短くなるように形成されている。
【００３３】
なお、脚部１０２Ａ、１０２Ｂ、１０２Ｃ、１０２Ｄの下端部が、地面と接する接地部１１０Ａ、１１０Ｂ、１１０Ｃ、１１０Ｄとなり、本実施形態では、第一の脚部１０２Ａの下端部に位置する第一の接地部１１０Ａと第二の脚部１０２Ｂの下端部に位置する第二の接地部１１０Ｂとの間に第一の支持部１０８Ａを形成し、第三の脚部１０２Ｃの下端部に位置する第三の接地部１１０Ｃと第四の脚部１０２Ｄの下端部に位置する第四の接地部１１０Ｄとの間に第二の支持部１０８Ｂを形成し、また、これらの支持部１０８Ａ、１０８Ｂの底部１１１Ａ、１１１Ｂは、接地部１１０Ａ、１１０Ｂ、１１０Ｃ、１１０Ｄと同じ高さとなるように形成されており、この底部１１１Ａ、１１１Ｂも接地するようにされている。
【００３４】
以上のように形成されている基台１０１と脚部１０２Ａ、１０２Ｂ、１０２Ｃ、１０２Ｄとは、基台１０１の一端１０１ｂの側面１０１ｃに設けられている脚部取付用穴１０５に第一の取付部１０４Ａ及び第二の取付部１０４Ｂを挿入することにより取り付けられており、この第一の取付部１０４Ａ及び第二の取付部１０４Ｂを軸として、基台１０１を回動させることができるようにされている。
【００３５】
一方、基台１０１の他端１０１ｄ側には、凸部１０７に設けられているフック取付用穴１０６に、コの字状に形成されておりその両端１１３ａ、１１３ｂを内側に折曲げたレバー１１３の両端１１３ａ、１１３ｂを挿入することにより、レバー１１３が回動自在に取り付けられており、このレバー１１３には、連結環１１４を両端に有するフック１１２が、連結管１１４をレバー１１３に通すことにより取り付けられている。
【００３６】
このようにフック１１２を、その両端に形成されている連結管を介してレバー１１３に取り付けることにより、フック１１２は、レバー１１３に沿って動かすことができるようにされている。
【００３７】
このようにして形成されるフック１１２及びレバー１１３は、基台１０１の他端側１０１ｄに連結されているフック１１２を固定部１０９に引っ掛けた状態で、レバー１１３を上方（図２のＸ方向）にその両端１１３ａ、１１３ｂを軸として回動させることで、基台１０１はこの固定部１０９に固定されることとなる。
【００３８】
なお、この逆に、レバー１１３を下方（図２のＸ方向とは逆の方向）に回動させることにより、固定部１０９に固定されている基台１０１の他端１０１ｄを解放することができるようになる。
【００３９】
また、このように形成されているフック１１２は、基台１０１の上面１０１ａが下方に向くように裏返しとなる位置まで回動させた場合でも、固定部１０９の下方から、この固定部１０９に引っ掛けることができるようにされている。
【００４０】
したがって、図４に表されているように、基台１０１に取り付ける携帯用燃焼器具本体（ここでは、ランタン１１６）の幅Ｙよりも、脚部１０２Ａ、１０２Ｂ、１０２Ｃ、１０２Ｄ間の距離Ｚの方が大きくなるようにすることで、基台１０１に携帯用燃焼器具本体を取り付けた状態で、脚部１０２Ａ、１０２Ｂ、１０２Ｃ、１０２Ｄを携帯用燃焼器具本体の側に取付部１０４Ａ、１０４Ｂを軸として折り畳み、フック１１２を固定部１０９に引っ掛けることで、折り畳んだ状態を保持することができ、コンパクトとなり収納や携帯する際に便利である。
【００４１】
このように構成される脚構造１００においては、フック１１２を固定部１０９から外し、図３に表されているように、基台１０１が脚部１０２Ａ、１０２Ｂ、１０２Ｃ、１０２Ｄの上端から外れた位置にある状態で、脚部１０２Ａ、１０２Ｂ、１０２Ｃ、１０２Ｄの上方から、第一の脚部１０２Ａと第二の脚部１０２Ｂとの間及び第三の脚部１０２Ｃと第四の脚部１０２Ｄとの間に燃料ボトル１１５を挿入して、再び基台１０１を回動させて脚部１０２Ａ、１０２Ｂ、１０２Ｃ、１０２Ｄの上端を覆う位置に戻すことで、支持部１０８Ａ、１０８Ｂとの間にこの燃料ボトル１１５を挟み込むことができるようになる。
【００４２】
そして、燃料ボトル１１５を挟み込んだ状態で、フック１１２を固定部１０９に引っ掛けてレバー１１３を上げることにより、図４に表されているように、燃料ボトル１１５を固定することができる。
【００４３】
なお、このように、燃料ボトル１１５を基台１０１と支持部１０３Ａ、１０３Ｂとの間に挟み込む関係上、基台１０１と支持部１０３Ａ、１０３Ｂとの間の間隔は、燃料ボトル１１２の直径に合わせて設計される。
【００４４】
また、図４では、基台１０１にランタン１１６を接着することにより取り付けているが、例えば、図５に表されているように、基台１０１の上面１０１ａに逆Ｌ字状のレール部材１１７を設けておき、ランタン１１６の底面１１６ａにレール部材１１７に対応する両側方の位置にＬ字状連結部１１８を有する連結部材１１９を設けておくことにより、これらを図５に表す矢印の方向から嵌合させることで、着脱自在に取り付けることも可能である。
【００４５】
なお、本実施形態では携帯用燃焼器具本体としてランタン１１６を使用したが、バーナーやストーブ等他の携帯用燃焼器具本体を基台１０１に取り付けることも可能である。
【００４６】
また、ランタン１１６には、燃料ボトル１１５から、燃料用ゴムホース１２０を用いて燃料が供給されるようにされている。
【００４７】
さらに、本実施形態では、フック１１２を用いて固定部１０９に基台１０１の他端１０１ｄを着脱自在に固定するようにしたが、例えば、図６に表されているように、基台１０１の他端１０１ｄ側に、固定部１０９に嵌め込むことができる嵌合用凹部１２１を有する嵌合部材１２２を設けておくことにより、この基台１０１と固定部１０９を着脱自在に固定することも可能である。
【００４８】
また、本実施形態では、一本のステンレスのワイヤを用いて脚部１０２Ａ、１０２Ｂ、１０２Ｃ、１０２Ｄ及び支持部１０８Ａ、１０８Ｂを形成したが、例えば、プラスチックを鋳型に流し込むことによりこれらを形成することも可能である。
【００４９】
図７は、本発明の第二の実施形態に係る脚構造２００の分解斜視図である。
【００５０】
脚構造２００も、第一の実施形態に係る脚構造１００と同様、基台２０１と、四つの脚部２０２Ａ、２０２Ｂ、２０２Ｃ、２０２Ｄと、二つの支持部２０３Ａ、２０３Ｂと、により構成されているが、第一の実施形態とは、基台２０１と脚部２０２Ａ、２０２Ｂ、２０２Ｃ、２０２Ｄとの取り付け構造が異なっているため、以下、この点についてのみ説明する（他の構造は、第一の実施形態と同様である。）。
【００５１】
第一の実施形態では、第一の脚部１０２Ａと第四の脚部１０２Ｄとから横方向に折曲げられているワイヤの端部を用いて、基台１０１を回動自在にするための第一の取付部１０４Ａ及び第二の取付部１０４Ｂが形成されていたが、本実施形態では、第一の脚部２０２Ａと第四の脚部２０２Ａとの上端部間を連結して、第二の固定部２０９Ｂが形成されている。
【００５２】
なお、本実施形態では、第二の脚部２０２Ｂと第三の脚部２０２Ｃとの上端部間を連結する部分を第一の固定部２０９Ａとしている。
【００５３】
また、本実施形態では、基台２０１の両方の端部２０１ａ、２０１ｂに、第一の固定部２０９Ａ及び第二の固定部２０９Ｂに嵌合する嵌合用凹部２２３を有する嵌合用突起２２４が設けられている。
【００５４】
そして、この嵌合用突起２２４に設けられている嵌合用凹部２２３を第一の固定部２０９Ａ及び第二の固定部２０９Ｂに嵌め込むことにより、基台２０１は、脚部２０２Ａ、２０２Ｂ、２０２Ｃ、２０２Ｄに着脱自在に取り付けることができるようにされている。
【００５５】
なお、本実施形態では、第一の実施形態と異なり、フック１１２を用いていないため、脚部２０２Ａ、２０２Ｂ、２０２Ｃ、２０２Ｄの長さは、全て同じとなるように形成されている。
【００５６】
以上のように、本実施形態に係る脚構造２００を構成したので、脚部２０２Ａ、２０２Ｂ、２０２Ｃ、２０２Ｄから基台２０１を取り外し、部脚部２０２Ａ、２０２Ｂ、２０２Ｃ、２０２Ｄの上方から、第一の脚部２０２Ａと第二の脚部２０２Ｂとの間及び第三の脚部２０２Ｃと第四の脚部２０２Ｄとの間に、図４に表されているような燃料ボトル１１５を挿入し、その上から基台２０１を固定部２０８Ａ、２０８Ｂに固定することにより、この燃料ボトル１１５を固定することができるようになる。
【図面の簡単な説明】
【００５７】
【図１】第一の実施形態に係る脚構造１００の分解斜視図。
【図２】固定部１０９にフック１１２を引っ掛けた際の概略図。
【図３】脚構造１００の使用例を表す側面図。
【図４】脚構造１００の使用例を表す上方斜視図。
【図５】ランタン１１６と基台１０１との取り付け例。
【図６】基台１０１と固定部１０９との取り付け例。
【図７】第二の実施形態に係る脚構造２００の分解斜視図。
【図８】従来例。
【符号の説明】
【００５８】
１００、２００  脚構造
１０１、２０１  基台
１０２、２０２  脚部
１０３、２０３  支持部
１０９  固定部
１１０  接地部
１１２  フック
１１３  レバー
１１５  燃料ボトル
１１６  ランタン
１２０  燃料用ゴムホース
２２４  嵌合用突起
【図１】
2005037032.tif 000003
【図２】
2005037032.tif 000004
【図３】
2005037032.tif 000005
【図４】
2005037032.tif 000006
【図５】
2005037032.tif 000007
【図６】
2005037032.tif 000008
【図７】
2005037032.tif 000009
【図８】
2005037032.tif 000010